(57)【要約】【課題】インストールされたネットワークに関する機能を使用するソフトウェアを正常に動作させる。【解決手段】本発明は、ＯＳのネットワークに関する機能を検出する手段２１と、インストールの対象となるソフトウェアを実行するのに必要なネットワークに関する機能を検出する手段２２と、前記検出されたＯＳのネットワークに関する機能が、前記検出されたソフトウェアを実行するのに必要なネットワークに関する機能を満たすか否かを判定する手段２３と、満たさないと判定された場合、前記検出されたソフトウェアを実行するのに必要なネットワークに関する機能のうち、前記ＯＳのネットワークに関する機能にない機能をインストールする手段２６とを具備する電子機器、である。【選択図】    図３
2004171470.tif 000002
【特許請求の範囲】
【請求項１】
ネットワークに関する機能を検出する手段と、
前記検出されたネットワークに関する機能が、インストールの対象となるソフトウェアを実行するのに必要なネットワークに関する機能があるか否かを判定する手段と、
前記判定手段による判定結果に基づいて、インストールの対象となるネットワークに関する機能を表示する手段と
を具備することを特徴とする電子機器。
【請求項２】
前記ネットワークに関する機能にない機能のインストールは、前記電子機器に行なわれることを特徴とする請求項１記載の電子機器。
【請求項３】
前記ネットワークに関する機能にない機能のインストールは、前記電子機器以外の前記ネットワークに接続された電子機器に行なわれることを特徴とする請求項１記載の電子機器。
【請求項４】
前記ネットワークに関する機能には、個人認証のための機能が含まれることを特徴とする請求項１記載の電子機器。
【請求項５】
機能がないと判定された場合、前記ソフトウェアを実行するのに必要なネットワークに関する機能のうち、前記ネットワークに関する機能にない機能をインストールする手段をさらに具備することを特徴とする請求項１記載の電子機器。
【請求項６】
前記インストール手段は、機能がないと判定された場合、前記ソフトウェアを実行するのに必要なネットワークに関する機能をインストールするか否かをユーザに確認するためのユーザインターフェイスをさらに具備し、前記ユーザインターフェイスにより、インストールが指示された場合に、前記ソフトウェアを実行するのに必要なネットワークに関する機能のうち、前記ネットワークに関する機能にない機能をインストールすることを特徴とする請求項１記載の電子機器。
【請求項７】
機能がないと判定された場合、前記検出されたソフトウェアを実行するのに必要なネットワークに関する機能のうち、前記ネットワークに関する機能にない機能をインストールすることが可能であるか否かを判断する手段と、
インストールすることができないと判断された場合には、前記ソフトウェアを実行するのに必要なネットワークに関する機能のうち、前記ネットワークに関する機能にない機能をインストールするための手順を提示する手段と
をさらに具備することを特徴とする請求項１記載の電子機器。
【請求項８】
前記インストール手段は、インストール先を指定する手段をさらに具備し、
前記指定されたインストール先に、前記ソフトウェアを実行するのに必要なネットワークに関する機能のうち、前記ネットワークに関する機能にない機能をインストールすることを特徴とする請求項１記載の電子機器。
【請求項９】
前記ネットワークに関する機能の検出は、ユーザからネットワークに関する機能を検出するための情報を入力することなく、セットアッププログラムにより自動的に行なわれることを特徴とする請求項１記載の電子機器。
【請求項１０】
ネットワークに関する機能を検出する手段と、
前記検出されたネットワークに関する機能が、インストールの対象となるソフトウェアを実行するのに必要なネットワークに関する機能があるか否かを判定する手段と、
機能がないと判定された場合、前記ソフトウェアを実行するのに必要なネットワークに関する機能のうち、前記ネットワークに関する機能にない機能をインストールする手段と
を具備することを特徴とする電子機器。
【請求項１１】
ネットワークに関する機能を検出し、
前記検出されたネットワークに関する機能が、インストールの対象となるソフトウェアを実行するのに必要なネットワークに関する機能があるか否かを判定し、
前記判定による判定結果に基づいて、インストールの対象となるネットワークに関する機能を表示することを特徴とする電子機器におけるインストール方法。
【請求項１２】
前記ネットワークに関する機能にない機能のインストールは、前記電子機器に行なわれることを特徴とする請求項１１記載のインストール方法。
【請求項１３】
前記ネットワークに関する機能にない機能のインストールは、前記電子機器以外の前記ネットワークに接続された電子機器に行なわれることを特徴とする請求項１１記載のインストール方法。
【請求項１４】
前記ネットワークに関する機能には、個人認証のための機能が含まれることを特徴とする請求項１１記載のインストール方法。
【請求項１５】
機能がないと判定された場合、前記ソフトウェアを実行するのに必要なネットワークに関する機能のうち、前記ネットワークに関する機能にない機能をインストールするステップをさらに具備することを特徴とする請求項１１記載のインストール方法。
【請求項１６】
前記インストールステップは、
機能がないと判定された場合、前記ソフトウェアを実行するのに必要なネットワークに関する機能をインストールするか否かをユーザに確認するためのステップと、
インストールが指示された場合に、前記ソフトウェアを実行するのに必要なネットワークに関する機能のうち、前記ネットワークに関する機能にない機能をインストールするステップを具備することを特徴とする請求項１１記載のインストール方法。
【請求項１７】
前記インストールステップは、
機能がないと判定された場合、前記検出されたソフトウェアを実行するのに必要なネットワークに関する機能のうち、前記ネットワークに関する機能にない機能をインストールすることが可能であるか否かを判断するステップと、
インストールすることができないと判断された場合には、前記ソフトウェアを実行するのに必要なネットワークに関する機能のうち、前記ネットワークに関する機能にない機能をインストールするための手順を提示するステップとをさらに具備することを特徴とする請求項１１記載のインストール方法。
【請求項１８】
前記インストールステップは、
インストール先を指定するステップをさらに具備し、
前記指定されたインストール先に、前記ソフトウェアを実行するのに必要なネットワークに関する機能のうち、前記ネットワークに関する機能にない機能をインストールすることを特徴とする請求項１１記載のインストール方法。
【請求項１９】
前記ネットワークに関する機能の検出は、ユーザからネットワークに関する機能を検出するための情報を入力することなく、セットアッププログラムにより自動的に行なわれることを特徴とする請求項１１記載のインストール方法。
【請求項２０】
ネットワークに関する機能を検出し、
前記検出されたネットワークに関する機能が、インストールの対象となるソフトウェアを実行するのに必要なネットワークに関する機能があるか否かを判定し、
機能がないと判定された場合、前記ソフトウェアを実行するのに必要なネットワークに関する機能のうち、前記ネットワークに関する機能にない機能をインストールすることを特徴とする電子機器におけるインストール方法。
【発明の詳細な説明】
【０００１】
【発明の属する技術分野】
本発明は、電子機器及びソフトウェアのインストール方法に関し、特に、ネットワークに関する機能を有するソフトウェアがインストールされる電子機器及びインストール方法に関する。
【０００２】
【従来の技術】
近年、ネットワーク技術の進歩により、ネットワークに接続された電子機器にインストールされるソフトウェアにはネットワークに関する機能を使用するものがある。
【０００３】
このようなネットワークに関する機能を使用するソフトウェアの一例として、株式会社  東芝製の「Ｓｅａｍｌｅｓｓ  Ｏｆｆｉｃｅ  Ｖｅｒ．１．１（ＴＭ）」というソフトウェアが存在する（例えば、非特許文献１参照。）。一般的に、このようなネットワーク機能を有するソフトウェアを電子機器にインストールする場合には、当該ソフトウェアによって使用されるネットワークに関する機能が、インストールされる電子機器のＯＳ（Ｏｐｅｒａｔｉｎｇ  Ｓｙｓｔｅｍ）上に存在するか否かにかかわらず、インストールを行なっている。
【０００４】
【非特許文献１】
アスキー２４．ｃｏｍ  ニュース
＜ＵＲＬ：ｈｔｔｐ：／／ａｓｃｉｉ２４．ｃｏｍ／ｎｅｗｓ／ｉ／ｓｏｆｔ／ａｒｔｉｃｌｅ／２００２／０１／２４／６３２９７８−０００．ｈｔｍｌ＞
【０００５】
【発明が解決しようとする課題】
上述のように、ネットワークに関する機能を使用するソフトウェアをインストール場合には、当該ソフトウェアによって使用されるネットワークに関する機能が、インストールされる電子機器のＯＳ（Ｏｐｅｒａｔｉｎｇ  Ｓｙｓｔｅｍ）上に存在するか否かにかかわらず、インストールを行なうため、インストールを正常に行なっても、当該ソフトウェアが正常に動作しないという問題があった。
【０００６】
また、ソフトウェアをインストール後に、ソフトウェアが必要とするネットワーク機能のうち、足りない機能をユーザがインストールすることも考えられるが、複数のサーバの機能を同時にセットアップする必要があり、ユーザがネットワークに関する高度な知識を有していなければ、自力でインストールを行なうのは困難であるという問題もある。
【０００７】
本発明は、上記実情に鑑みてなされたものであり、インストールされたネットワークに関する機能を使用するソフトウェアを正常に動作させることが可能な電子機器及びインストール方法を提供することを目的とする。
【０００８】
【課題を解決するための手段】
上記目的を達成するために、本発明の第１の発明は、ネットワークに関する機能を検出する手段と、前記検出されたネットワークに関する機能が、インストールの対象となるソフトウェアを実行するのに必要なネットワークに関する機能があるか否かを判定する手段と、前記判定手段による判定結果に基づいて、インストールの対象となるネットワークに関する機能を表示する手段とを具備することを特徴とする電子機器、である。
【０００９】
【発明の実施の形態】
以下、図面を参照して、本発明の実施の形態に係るコンピュータについて説明する。
【００１０】
図１は、本発明の実施の形態に係るコンピュータの接続環境を示す図である。
【００１１】
同図に示すように、ネットワーク１には、認証サーバ（ＩＡＳサーバ）２、証明書サーバ（ＣＡ（Ｃｅｒｔｉｆｉｃａｔｅ  Ａｕｔｈｅｎｔｉｆｉｃａｔｉｏｎ）  サーバ）３及び無線アクセスポイント４が接続されている。無線アクセスポイント４には、無線によって、クライアント５が接続される。
【００１２】
認証サーバ（ＩＡＳサーバ）２は、ネットワークに関する機能のうち、無線アクセスポイント４のＩＰアドレスの管理、無線アクセスポイント４との共有シークレットの管理、リモートアクセスポリシ設定、グループポリシーに信頼するＣＡ（Ｃｅｒｔｉｆｉｃａｔｅ  Ａｕｔｈｅｎｔｉｆｉｃａｔｉｏｎ）のインポートなどの機能を有する。
【００１３】
証明書サーバ３は、アクティブディレクトリ、ドメイン名、ＤＮＳ（Ｄｏｍａｉｎ  ｎａｍｅ  Ｓｅｒｖｉｃｅ）、ユーザのリモートアクセス権、ＣＡ名などを管理する。
【００１４】
無線アクセスポイント４は、認証サーバ２のＩＰアドレス、ポート番号、認証サーバ２との共有シークレット、有線ＬＡＮの設定などの管理を行なう。
【００１５】
クライアント５は、ＩＥＥＥ８０２．１Ｘ環境において、無線アクセスポイント４を介して、証明書サーバ３から証明書を入手して、当該証明書を使用して、ネットワークに接続される他のコンピュータなどと通信を行なう。
【００１６】
本発明の実施の形態においては、認証サーバ２にネットワークに関する機能を有するソフトウェアをインストールする場合を想定するが、これに限られるものではなく、例えば、証明書サーバ３にネットワークに関する機能を有するソフトウェアをインストール場合であっても、同様に考えることができる。
【００１７】
図２は、本発明の実施の形態に係る認証サーバの構成を示す図である。
【００１８】
認証サーバ２には、図示のように、ＣＰＵ２０１、ホストブリッジ２０２、主メモリ２０３、グラフィクスコントローラ２０４、通信デバイス２０５、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＢＩＯＳ−ＲＯＭ２１０、エンベデッドコントローラ／キーボードコントローラＩＣ（ＥＣ／ＫＢＣ）２１１等が設けられている。
【００１９】
ＣＰＵ２０１は本コンピュータの動作を制御するために設けられたものであり、ハードディスクドライブ（ＨＤＤ）２０８から主メモリ２０３にロードされたオペレーティングシステムおよびアプリケーションプログラム／ユーティリティプログラムを実行する。また、ＣＰＵ２０１は、ＢＩＯＳ−ＲＯＭ２１０に格納されたＢＩＯＳも実行する。
【００２０】
ホストブリッジ２０２はＣＰＵ２０１のローカルバスとＰＣＩバス１との間を双方向で接続するブリッジデバイスである。グラフィクスコントローラ２０４は本コンピュータのディスプレイモニタとして使用されるＬＣＤパネル２１２を制御する。通信デバイス２０５はＰＣＩデバイスの１つであり、例えばインターネットなどのコンピュータネットワークへの接続のために使用される。Ｉ／Ｏコントローラ２０７もＰＣＩデバイスの１つであり、ここにはハードディスクドライブ（ＨＤＤ）２０８およびＣＤ−ＲＯＭドライブ２０９を制御するためのＩＤＥコントローラなどが内蔵されている。
【００２１】
ハードディスクドライブ（ＨＤＤ）２０８には、この認証サーバ２のＯＳ２２１及びネットワークに関する機能を有するソフトウェアをインストールするための本発明の実施の形態に係るセットアッププログラム２２２が格納されている。
【００２２】
ＰＣＩ−ＩＳＡブリッジ２０６はＰＣＩバス２００とＩＳＡバス２３１を双方向で接続するブリッジデバイスであり、ここにはリアルタイムクロック（ＲＴＣ）の他、例えばシステムタイマ、ＤＭＡコントローラ、割り込みコントローラなどの各種システムデバイスも内蔵されている。
【００２３】
ＢＩＯＳ−ＲＯＭ２１０にはＢＩＯＳが格納されている。このＢＩＯＳは本システム内のハードウェアコンポーネントを制御するためのプログラムである。
【００２４】
エンベデッドコントローラ／キーボードコントローラＩＣ（ＥＣ／ＫＢＣ）２１１は、キーボード１１１及び操作ボタン１１５からのイベントを制御するためのキーボードコントローラとが集積された１チップマイクロコンピュータである。
【００２５】
図３は、本発明の実施の形態に係る認証サーバ２におけるネットワークに関する機能を有するソフトウェアをインストールするための機能を示すブロック図である。なお、この機能は、本発明の実施の形態に係るセットアッププログラムによって実現される。
【００２６】
同図に示すように、本発明の実施の形態に係るセットアッププログラムは、ＯＳのネットワーク機能検出部２１、ソフトウェアのネットワーク機能検出部２２、ネットワーク機能判定部２３、インストール可能性判断部２４、インストール手順提示部２５、インストール先指定部２６及びインストール実行部２７を有している。
【００２７】
ＯＳのネットワーク機能検出部２１は、ＯＳのネットワークに関する機能、例えば、ユーザアカウント、アクティブディレクトリ、ＤＮＳサーバなどの検出を行なう。
【００２８】
ソフトウェアのネットワーク機能検出部２２は、インストール対象となるソフトウェアが動作するのに必要なネットワークに関する機能を、インストール対象となるソフトウェアから検出する。また、セットアッププログラムが、特定のネットワーク環境において使用されるものであれば、予め、セットアッププログラムにおいてインストール対象となるソフトウェアが動作するのに必要なネットワークに関する機能を記憶しておいても良い。
【００２９】
ネットワーク機能判定部２３は、ＯＳのネットワーク機能検出部２１によって検出されたＯＳのネットワークに関する機能が、ソフトウェアのネットワーク機能検出部２２によって検出された機能を満たすか否かを判定する。
【００３０】
インストール可能性判断部２４は、ネットワーク機能判定部２５によって、ＯＳのネットワーク機能検出部２１によって検出されたＯＳのネットワークに関する機能が、ソフトウェアのネットワーク機能検出部２２によって検出された機能を満たさないと判断された場合に、インストール対象となるソフトウェアが動作するのに必要なネットワークに関する機能のうち、ＯＳのネットワークに関する機能に存在しない機能のインストールが可能か否かを判断する。
【００３１】
インストール手順提示部２５は、インストール可能性判断部２４によって、インストールが可能ではないと判断された場合に、インストール対象となるソフトウェアが動作するのに必要なネットワークに関する機能のうち、ＯＳのネットワークに関する機能に存在しない機能のインストールを実行するための手順を提示する。
【００３２】
インストール先指定部２６は、ユーザにインストール対象となるソフトウェアのインストール先を確認する。
【００３３】
インストール実行部は、インストール先指定部２６によって指定されたインストール先にインストール対象となるソフトウェアのインストールを実行する。
【００３４】
次に、本発明の実施の形態に係る電子機器の動作について、図４及び図５のフローチャートを参照して説明する。
【００３５】
本発明の実施の形態においては、ＩＥＥＥ８０２．１Ｘ環境のソフトウェアをインストールするセットアッププログラムを前提として説明をするが、これに限られるものではなく、本発明のコンセプトは、ネットワーク環境を使用するソフトウェアをインストールする場合にも適用することができる。
【００３６】
本発明の実施の形態においては、ＩＥＥＥ８０２．１Ｘ環境のソフトウェアをインストールすること前提としているので、まず、図６に示すように、ＩＥＥＥ８０２．１Ｘ環境のサーバチェックを行なうか否かをユーザに問い合わせ（Ｓ１）、チェックを行なうと判断された場合には、図７に示すように、ユーザアカウントを選択、或いは入力させて、この入力或いは選択されたユーザアカウントが正当であるか否かの判断を行なう（Ｓ２）。
【００３７】
Ｓ１においてサーバチェックを行なわないと判断された場合、Ｓ２においてネットワーク管理者が正当ではないと判断された場合には、セットアッププログラムによるインストールを終了する。
【００３８】
Ｓ２において、ネットワーク管理者が正当であると判断された場合には、次に、ＯＳのネットワークに関する機能の検出を行なう（Ｓ３）。
【００３９】
図８は、アクティブディレクトリ、ＤＮＳサーバの設定を示す画面であり、プルダウンメニューから利用するサーバを選択することができる。
【００４０】
ここでは、通常、アクティブディレクトリサーバを表示する。ネットワーク上に複数存在する場合もあるため、表示は、ドロップダウンコンボボックスで行なう。
【００４１】
アクティブディレクトリサーバが見つからない場合には、ＤＮＳサーバの表示を行なう。本サーバも複数存在することができるため、表示は、ドロップダウンコンボボックスで行なう。選択されているＤＮＳをアクティブディレクトリサーバ設定時に利用するものとする。
【００４２】
また、設定の変更が必要な場合には、変更後のサーバ名、ＩＰアドレスを入力する。アクティブディレクトリ、ＤＮＳサーバの設定後、ＣＡサーバ及びＩＡＳサーバの検索を行なうための画面に移る。
【００４３】
図９は、現在のネットワーク設定で利用しているＣＡサーバ及びＩＡＳサーバを検索するための画面である。この画面では、ＣＡサーバ、およびＩＡＳサーバの検出のため、それぞれのサーバ名、あるいはＩＰアドレスを入力させる。この画面において、ＣＡサーバ、およびＩＡＳサーバの設定後、ネットワークサーバの確認画面に移る。
【００４４】
なお、ここでは、ＣＡサーバ及びＩＡＳサーバを検索するために、サーバ名或いはＩＰアドレスを入力させる場合について示したが、これら情報を入力することなく、セットアッププログラムにより、自動的に、ＣＡサーバ及びＩＡＳサーバを検出するようにしてもよい。
【００４５】
図１０は、図８及び図９において設定されたサーバの確認結果を表示する画面である。
【００４６】
同図に示すように、確認することができなかったサーバには、チェックボックスにチェックが付された状態をデフォルトの状態とする。このチェックボックスにチェックが付されたサーバ機能がインストールの対象となる。なお、このチェックボックスを外すことにより、ユーザは、インストールするサーバ機能を選択することが可能となる。
【００４７】
このようにして、Ｓ３において、ＯＳのネットワークに関する機能が検出された後、ＯＳのネットワークに関する機能の検出結果が表示される（Ｓ４）。その後、ＩＥＥＥ８０２．１Ｘ環境のネットワークに関する機能をＯＳが満たしているか否かの判定が行なわれる（Ｓ５）。
【００４８】
Ｓ５において、満たしていると判断された場合には、ＩＥＥＥ８０２．１Ｘ環境のソフトウェアのインストールを実行する（Ｓ６）。一方、Ｓ５において、満たしていないと判断された場合には、不足している機能のインストールを実行するか否かの判断が行なわれる（Ｓ７）。この判断は、図１１に示すように、サーバ機能のコンポーネントのインストールを行なうか否かの画面を表示して、ユーザからの指示に従う。Ｓ７において、インストールを行なうと判断された場合には、処理を終了する。
【００４９】
一方、Ｓ７において、インストールの実行をユーザにより指示された場合には、次に、インストールの対象となるサーバ機能をインストールツールを使用して、自動的にインストールすることが可能であるか否かの判断を行なう（Ｓ８）。
【００５０】
この判断は、インストール対象となるサーバ機能の種類によっては、インストールツールを使用して自動的にインストールを行なうことができないものがあることを考慮したものである。
【００５１】
Ｓ８において、自動インストールが可能ではないと判断された場合には、自動インストールを行なうことができないサーバ機能の詳細なインストール手順をユーザに提示して（Ｓ９）、処理を終了する。
【００５２】
一方、Ｓ８において、自動インストールが可能であると判断された場合には、不足しているサーバ機能のインストール先の指定を行なう（Ｓ１０）。このインストール先の設定は、各サーバ機能毎に行なわれる。
【００５３】
図１２は、ＤＮＳサーバのインストール先を指定するための画面を示す図である。同図に示すように、ユーザによって、現在作業中のサーバにインストールを行なう、ユーザにより指定されたサーバにインストールを行なう、インストールを行なわないの指定を行なうことができる。
【００５４】
ＤＮＳサーバのインストール先を指定した後、アクティブディレクトリのインストール先を設定する。図１３は、アクティブディレクトリのインストール先を指定するための画面を示す図である。同図に示すように、ユーザによって、現在作業中のサーバにインストールを行なう、ユーザにより指定されたサーバにインストールを行なう、インストールを行なわないの指定を行なうことができる。
【００５５】
アクティブディレクトリのインストール先を指定した後、ＣＡサーバのインストール先を設定する。図１４は、ＣＡサーバのインストール先を指定するための画面を示す図である。同図に示すように、ユーザによって、現在作業中のサーバにインストールを行なう、ユーザにより指定されたサーバにインストールを行なう、インストールを行なわないの指定を行なうことができる。
【００５６】
なお、ＣＡサーバのインストール時に、ＩＩＳをインストールするか否かの確認を行なう。図１５は、ＩＩＳサーバのインストールの設定画面である。同図に示すように、インストールをする、インストールをしない旨の設定を行なうことができる。
【００５７】
ＣＡサーバ及びＩＩＳサーバのインストール先を指定した後、ＩＡＳサーバのインストール先を設定する。図１６は、ＩＡＳサーバのインストールの設定画面である。同図に示すように、ユーザによって、現在作業中のサーバにインストールを行なう、ユーザにより指定されたサーバにインストールを行なう、インストールを行なわないの指定を行なうことができる。
【００５８】
このようにして、不足している機能のインストール先の指定（Ｓ１０）が行なわれたのち、指定されたインストール先へ不足している機能のインストールを実行する（Ｓ１１）。図１７は、インストールの終了を示す画面である。
【００５９】
なお、このインストールされるネットワークに関する機能は、例えば、ＣＤなどの記録媒体からインストールを行なってもよいし、ネットワークに接続されたコンピュータからインストールを行なってもよい。その後、ＩＥＥＥ８０２．１Ｘ環境のソフトウェアのインストールを実行する（Ｓ６）。
【００６０】
したがって、本発明の実施の形態によれば、インストール対象となるソフトウェアが必要とするネットワークに関する機能をＯＳが具備していない場合であっても、インストール対象となるソフトウェアが必要とするネットワークに関する機能のうち、ＯＳが具備していないネットワークに関する機能をセットアッププログラムによりインストールすることができるので、インストールされたソフトウェアを正常に動作させることができる。
【００６１】
なお、本願発明は、上記各実施形態に限定されるものでなく、実施段階ではその要旨を逸脱しない範囲で種々に変形することが可能である。
【００６２】
【発明の効果】
以上詳記したように、本発明によれば、インストールされたネットワークに関する機能を使用するソフトウェアを正常に動作させることができる。
【図面の簡単な説明】
【図１】本発明の実施の形態に係るコンピュータの接続環境を示す図である。
【図２】本発明の実施の形態に係る認証サーバの構成を示す図である。
【図３】本発明の実施の形態に係る認証サーバ２におけるネットワークに関する機能を有するソフトウェアをインストールするための機能を示すブロック図である。
【図４】本発明の実施の形態に係る電子機器の動作について説明するためのフローチャートである。
【図５】本発明の実施の形態に係る電子機器の動作について説明するためのフローチャートである。
【図６】ＩＥＥＥ８０２．１Ｘ環境のサーバチェックを行なうか否かをユーザに問い合わせるための画面である。
【図７】ユーザアカウントを選択、或いは入力させるための画面である。
【図８】アクティブディレクトリ、ＤＮＳサーバの設定を示す画面である。
【図９】現在のネットワーク設定で利用しているＣＡサーバ及びＩＡＳサーバを検索するための画面である。
【図１０】図８及び図９において設定されたサーバの確認結果を表示する画面である。
【図１１】サーバ機能のコンポーネントのインストールを行なうか否かの画面を示す図である。
【図１２】ＤＮＳサーバのインストール先を指定するための画面を示す図である。
【図１３】アクティブディレクトリのインストール先を指定するための画面を示す図である。
【図１４】ＣＡサーバのインストール先を指定するための画面を示す図である。
【図１５】ＩＩＳサーバのインストールの設定画面である。
【図１６】ＩＡＳサーバのインストールの設定画面である。
【図１７】インストールの終了を示す画面である。
【符号の説明】
１…ネットワーク、
２…認証サーバ、
３…証明書サーバ、
４…無線アクセスポイント、
５…クライアント、
２１…ＯＳのネットワーク機能検出部、
２２…ソフトウェアのネットワーク機能検出部、
２３…ネットワーク機能判定部、
２４…インストール可能性判断部、
２５…インストール手順提示部、
２６…インストール先指定部、
２７…インストール実行部、
２２１…ＯＳ，
２２２…セットアッププログラム。
【図１】
2004171470.tif 000003
【図２】
2004171470.tif 000004
【図３】
2004171470.tif 000005
【図４】
2004171470.tif 000006
【図５】
2004171470.tif 000007
【図６】
2004171470.tif 000008
【図７】
2004171470.tif 000009
【図８】
2004171470.tif 000010
【図９】
2004171470.tif 000011
【図１０】
2004171470.tif 000012
【図１１】
2004171470.tif 000013
【図１２】
2004171470.tif 000014
【図１３】
2004171470.tif 000015
【図１４】
2004171470.tif 000016
【図１５】
2004171470.tif 000017
【図１６】
2004171470.tif 000018
【図１７】
2004171470.tif 000019